(57)【要約】【課題】  美容ローラーマッサージ器において、クーラントローラーに効率よく熱の拡散作用をさせて肌の余分な皮脂を吸着できると共に水分を肌に与えることができる理想的なクーラント作用をするクーラントローラーを備えた美容ローラーマッサージ器を提供すること。【解決手段】  皮膚面に当接させて皮膚面上を回転移動させるマッサージローラーを棒状基軸１の少なくとも一端に回転自在に装着した美容ローラーマッサージ器において、前記ローラーの外表面に微細ダイヤモンド粉を被覆41したクーラントローラー４を具備すること。【選択図】図３
2010162324.tif 000002
【特許請求の範囲】
【請求項１】
皮膚面に当接させて皮膚面上を回転移動させるマッサージローラーを棒状基軸の少なくとも一端に回転自在に装着した美容ローラーマッサージ器において、前記ローラーの外表面に微細ダイヤモンド粉を被覆したクーラントローラーを具備することを特徴とする美容ローラーマッサージ器
【請求項２】
微細ダイヤモンド粉は、平均粒径が２〜200ナノメータのものをクーラントローラーの表面に被覆した請求項１の美容ローラーマッサージ器。
【請求項３】
微細ダイヤモンド粉は、平均粒径が20〜100ミクロンメータのものをクーラントローラーの表面に被覆した請求項１の美容ローラーマッサージ器。
【請求項４】
棒状基軸は、断面角棒状であるか、又は、基軸表面の一部に滑り止めローレットを形成するか、若しくは、基軸表面に180度離隔させて平坦面を形成した形態を備えた請求項２又は３の美容ローラーマッサージ器。
【請求項５】
棒状基軸には、前記ローラーを覆うキャップの端部を嵌合して保持するためほぼ段付きフランジ状をなすキャップ保持部を設けた請求項１〜４のいずれかの美容ローラーマッサージ器。
【請求項６】
棒状基軸の他端には皮膚面を回転して打撃する回転打撃ローラーを備えた請求項１〜５のいずれかの美容ローラーマッサージ器。
【請求項７】
少なくとも１つのローラーは棒状基軸に可撓性の支持軸を介して回転自在に取付けた請求項１〜６のいずれかの美容ローラーマッサージ器。
【発明の詳細な説明】
【技術分野】
【０００１】
本発明は、微細ダイヤモンド粉を被覆したローラーを皮膚面上で転動させることにより、当該ローラーにダイヤモンドの特性である熱伝導性や撥水性、親油性を利用して肌の保湿に効果的なクーラント作用と、酸化した皮脂や角質などを吸着除去するスキンクリーナー作用により、適度な水分を肌に与えるとともに酸化した皮脂や角質を除去して顔筋を引締めた美顔を作り上げるための美容ローラーマッサージ器に関する。
【背景技術】
【０００２】
人の肌が本来的に持っている代謝機能を十分に発揮させると、血液やリンパなどの循環系の作用が良好に維持されて美肌が実現されるといわれている。肌の代謝機能を十分に発揮させるための手法の一つに美顔の理想とされるハンドマッサージがある。
【０００３】
ハンドマッサージを受けると、皮膚と顔筋の結合組織における結合度が高まり、皮膚が引き締まることが知られている。ハンドマッサージを受けているときの皮下の神経細胞では、大脳に快適信号を送りその信号を受けた大脳がリラクゼーション雰囲気を感じるため、皮膚組織のリラクゼーションも高まって前記のような効果が得られることによると考えられ、従ってハンドマッサージは美顔のための理想的施術法といわれるのである。
【０００４】
しかし乍ら、何時でも何処でも誰であっても、美顔師やマッサージ師等のハンドマッサージ専門家にハンドマッサージを受けることができる訳ではない。そこで美顔の専門家は、ハンドマッサージに寄らず美肌を保つ方法として、ローラーマッサージ器を使用した美顔マッサージ手法を提唱している。現実に美顔マッサージのために発明された種々のローラーマッサージ器も既に数多く提供されている。
【０００５】
しかし乍ら、既存の美容ローラーマッサージ器の使用時に最も注意しなければならないのは、そのマッサージ器によって皮膚面に対して過剰な刺激を与えないことである。特に、顔の皮膚の結合組織は、約0.5mm〜1.8mmほどの薄さで顔筋に密着して張付いているので、過度の刺激によって顔筋と皮膚とが剥離すると、ちりめん様の皺が発生したり、あるいは静脈血管が遊離して皮膚を弛ませるなどの不具合が生じることがあるといわれている。
【０００６】
また、上記の美容ローラーマッサージ器は、古くから知られているリンパ等の循環系の状態を良くするため、指先で皮膚面を軽く叩く「叩打法」というマッサージ法を実現できるように回転打撃ローラーを備えたものも多い。
【０００７】
「叩打法」を実行する回転打撃ローラーを備えた美容ローラーマッサージ器では、回転打撃ローラーの叩打法マッサージによって昇温した肌を冷却するためのクーラントローラーを備えたものがある。
【０００８】
しかし乍ら、叩打法マッサージによって昇温した肌を効果的にクーラントして常態皮膚温へ温度を効率よく拡散平衡させる機能や、肌の余分な皮脂、特に、毛穴に溜った酸化皮脂や角栓を効果的に吸着する機能を有するクーラントローラーを備えた美容ローラーマッサージ器は未だ見られない。
【先行技術文献】
【特許文献】
【０００９】
【特許文献１】実用新案登録第３０９１８３６号公報
【発明の概要】
【発明が解決しようとする課題】
【００１０】
そこで本発明は、従来の美容ローラーマッサージ器において、クーラントローラーに効率のよい熱の拡散作用をさせるのみならず、肌の余分な皮脂や角質を吸着除去し、肌に適度な水分を与えることができるなど、理想的なクーラント作用をするクーラントローラーを備えた美容ローラーマッサージ器を提供することを課題とする。
【課題を解決するための手段】
【００１１】
上記の課題を解決するためになされた本発明美容ローラーマッサージ器の構成は、皮膚面に当接させて皮膚面上を回転移動させるマッサージローラーを棒状基軸の少なくとも一端に回転自在に装着した美容ローラーマッサージ器において、前記ローラーの外表面に微細ダイヤモンド粉を被覆したクーラントローラーを具備することを主な特徴とするものである。
【００１２】
本発明ローラーマッサージ器において、微細ダイヤモンド粉を被覆したクーラントローラーは、前記基軸にその軸と一体に設けた可撓性の支持軸にベアリングを介して回転自在に装着されている。本発明の実施例では、前記棒状基軸の他端に可撓性の支持軸にベアリングを介して皮膚面を回転打撃する回転打撃ローラーを備えたものについて述べる。本発明ローラーマッサージ器では、可撓性の支持軸を用いているから、その緩衝機能によってローリングマッサージにより肌がダメージを受けるのを抑制することができる。
【００１３】
本発明ローラーマッサージ器では、棒状基軸に、前記ローラーを覆うキャップの端部を嵌合して保持するためほぼ段付きフランジ状をなすキャップ保持部を設けたものがある。また、前記棒状基軸には、その断面形状が角棒状であるか、又は、この基軸表面の一部に180度離隔させて平坦面を形成したもの、或は、表面にローレットを形成したものを使用することがある。なお、棒状基軸に設ける平坦面の個数やその離隔角度は、上記例に限られるものではない。基軸に前記形態を採る理由は、後述するキャップの回転による着脱操作時に、当該基軸を摘む指先の滑りを防ぐためである。
【００１４】
一方、本発明で用いる微細ダイヤモンド粉は、一例として平均粒径が２〜200ナノメータのもの、好ましくは４〜150ナノメータのものをマッサージローラーに蒸着させ、当該ローラ表面に被覆したものである。平均粒径が２ナノメータ未満のものでは、被覆層での熱交換の効率が低くなって肌の熱拡散が良好に行われず、逆に平均粒径が200ナノメータより大きくなると、被覆層での熱伝導の効率が低くなるからである。
【００１５】
本発明で用いる微細ダイヤモンド粉の第二例としては、平均粒径が20〜100ミクロンメータのダイヤモンド粉粒体を、肌や毛穴の皮脂などを吸着除去するための材料として用いることがある。特に、80ミクロンメータ若しくは80ミクロンメータに近いそれ以下の粒径であると、毛穴の入口或は皮溝に付着している酸化皮脂分や毛穴の中を埋めている角質化した栓状物を除去する上で極めて効果的である。因みに、従来、毛穴入口の皮質や皮溝、或は、毛穴の内部に詰まっている栓状物は、粘着テープを使用して除去していたが、粘着材が肌に合わない人は肌のカブレ（気触れ）が生じていた。しかし、本発明ローラーマッサージ器によれば、肌にカブレが生じるようなことは、皆無である。
【発明の効果】
【００１６】
本発明ローラーマッサージ器は、皮膚面に当接させて皮膚面上を回転移動させるマッサージローラーを棒状基軸の少なくとも一端に回転自在に装着した美容ローラーマッサージ器において、前記ローラーの外表面に微細ダイヤモンド粉を被覆したクーラントローラーを具備させたので、ダイヤモンドが持つ固有の特性である熱伝導性、撥水性、親油性などの特性により、肌や毛穴の酸化皮脂を吸着除去しつつ、肌に適量な水分を与えるという効果的なクーラント作用が得られ、顔筋を引締めることができる。
【図面の簡単な説明】
【００１７】
【図１】図１は本発明ローラーマッサージ器の一例のキャップを外した状態の正面図。
【図２】図１のマッサージ器にキャップを装着した状態を仮想線で示した縦断正面図。
【図３】図１，図２のマッサージ器の使用態様の一例を示した斜視図。
【発明を実施するための形態】
【００１８】
図１〜図３において、１は、一例としてほぼ万年筆の軸の太さ程度の外径と長さを有すると共に、例えば断面を六角形などの多角形にした棒状体、又は、図示したように丸棒の外面に180度離隔して部分平坦部1a，1bを形成した棒状体による棒状基軸（以下、単に基軸という）で、この基軸１の両端の延長線上に設けた可撓性の支持軸２，３に、クーラントローラー４と回転打撃ローラー５とが回転自在に設けられている。なお、基軸１は、上記平坦部1a，1bに代え、滑り止めのローレットを設けたものであってもよい。
【００１９】
支持軸２，３の可撓性は、前記ローラー４又は５が強く肌に押し付けられることがあっても、この軸２，３が撓むことにより押付け力を緩衝する作用がある。4aと5aは、前記ローラー４と５及び支持軸２と３の間に介在させたベアリング、６は基軸１の中間部に位置可変に設けた金属製又は合成樹脂製などのフィンガーアタッチメントを兼ねた段付フランジ状をなすキャップホルダである。
【００２０】
前記キャップホルダ６は、通常は基軸１に関して中間位置に固定されているが、位置を変更することもできる。基軸１に対するキャップホルダ６の位置変更のための構成としては、例えば、止めビス6fや、このキャップホルダ６と基軸１の当接面のフリクション（摩擦抵抗）などにより、キャップホルダ６を当該基軸１の所望位置に移動させてそこで仮止めできるように形成することができる。
【００２１】
上記キャップホルダ６は、一例として次の構成を具備する。すなわち、フランジ部6aの前後両面に設けたフランジ部6aより小径の段部6b，6cに、キャップ７，８（図２参照）を回転着脱式に装着して保持するために平面略Ｌ状のキー溝6d，6eを備えている。キャップ７は、前記キー溝6d又は6eに当該キャップ７の開口端周内面に設けた凸状のキー7a，7bを回転しつつ嵌合させてキャップホルダ６に保持される。
【００２２】
先にも述べたが、前記支持軸２，３は、ナイロン等の弾力的に撓む材料で形成し、基軸１に対して前記ローラー４，５が撓むことができるように形成することが望ましい。その理由は、支持軸２，３が可撓性であると、使用時において前記ローラー４，５にかかる使用者の余計な力をその撓みで吸収できるからである。図２において、2a，3aは支持軸２，３を基軸１に取付けるための固定用ビスである。
【００２３】
以上の構成により、本発明の実施形態の一例であるローラーマッサージ器を構成するが、当該マッサージ器は、クーラントローラー４を使用するときには、図３に示すように、回転打撃ローラー５の側にキャップ８を装着する。なお、これとは逆に、回転打撃ローラー５を使用するときは、クーラントローラー４の側にキャップ７を装着して使用する。キャップ８（又は同７）は、キャップホルダ６にしっかりと保持されるので、本発明マッサージ器を安定に把持するためのグリップとして作用する。この結果、グリップ（キャップ８＜又は同７＞）を手で軽く握れば、余計な力を加えることのない理想的なローラーマッサージを行うことができる。
【００２４】
本発明ローラーマッサージ器では、上述したように、クーラントローラー４の側にもキャップ７を装着できるように構成されている（図２参照）。２つのキャップ７，８を夫々が対応するローラー４，５に被せてキャップホルダ６に保持させることにより、両キャップ７，８の内部に夫々のローラー４，５を完全に収納することができる。これにより本発明ローラーマッサージ器をハンドバッグなどに入れて持運びするときなどに便宜であると共に、両ローラー４，５の肌に触れる表面を清潔，清浄に保つことができる。ここで、両キャップ７，８は、先にも述べたとおりその内周面に凸状に設けたキー7a，8aがキャップホルダ６の小径段部6b，6cに設けたキー溝6dと6eにそれぞれ嵌合して装着状態が保持される。また、キャップ７又は同８の着脱の際、前記基軸１の平坦部1aや1b、或は、図示しない基軸１のローレットは、滑り止め作用をするから、当該キャップ７又は同８の着脱を容易かつ確実に行うことができる。
【００２５】
本発明ローラーマッサージ器では、クーラントローラー４に特別の工夫を施したので、この点について以下に説明する。
本発明におけるクーラントローラー４は、図１，図２に示すように、外観上、或は、形態上は公知のローラーマッサージ器のクーラントローラーと殆んど変るところはない。
しかし、本発明では当該クーラントローラー４の外表面に微細なダイヤモンド粉末を被覆してそのダイヤモンドの特性である熱伝導性、撥水性、或は、親油性による作用を、マッサージ時に発揮させるようにした点に大きな特長がある。図において41はダイヤモンド粉末の被覆層である。
【００２６】
まず、本発明の第一例のクーラントローラー４には、平均粒径が２〜200ナノメータ、好ましくは平均粒径が約４〜150ナノメータの微細ダイヤモンド粉末を、一例としてプラズマ放電により、アルミ合金製の当該クーラントローラー４の基体表面に蒸着させ、ローラー表面を全面被覆している。
このダイヤモンド被覆加工によって、硬度5500、面接換算約500カラットのダイヤモンド被覆されたクーラントローラー４は、ダイヤモンドの特性である熱伝導性と撥水性の作用で肌の余分の皮脂を吸着すると共に、その肌に適度な水分を与え、しかも、クーラントされた肌を通常の皮膚温に効率よく戻すことができるので、このクーラントローラー４でマッサージされる顔筋を引き締めることができる。
【００２７】
本発明における第二例のクーラントローラー４には、平均粒径が３ミクロンメータの微細ダイヤモンド粉末の被覆層を形成している。被覆層の形成は、前記ダイヤモンド粉末を、一例としてメッキ液中に混ぜておき、このローラー４の生地にメッキを施すと、メッキ液が塗着（鍍着）されると共にダイヤモンド粒子もローラー生地の表面に塗着されることにより形成される。
【００２８】
第二例のダイヤモンド粒子を被覆したクーラントローラー４は、粒子の平均径が３ミクロンメータと、第一例のものより粉粒径が大きいこと、並びに、ダイヤモンドの親油性によって、特に毛穴の入口に付着している酸化皮脂や毛穴の中で角質化して栓状になった皮脂（角栓）を、効果的に吸着して除去することができる。このように肌の表面で酸化して黒ずんだ皮脂を吸着除去できるので、物理的美白効果が得られる。なお、酸化皮脂を吸着したクーラントローラー４は、その表面が吸着した皮脂で黒ずむが、この場合にはクーラントローラー４の表面を通常手法で洗淨すれば、黒ずみ（汚れ）を剥落できる。
【００２９】
この結果、ミックスと称される油性肌に対しても、ダイヤモンドの微細粉末が被覆が施された本発明ローラーマッサージ器のクーラントローラー４によるマッサージを施すと、顔筋を引き締めてミックスといわれる油性肌を清々しい肌質に改善することができる。
【００３０】
本発明ローラーマッサージ器では、微細ダイヤモンドで被覆されたクーラントローラー４、並びに、回転打撃ローラー５は、いずれも直接顔などの肌に触れるものであるから、不使用時には、両ローラー４，５ともキャップ７，８を被せ、当該両キャップ７，８をそのキー7a，8aにおいてキャップホルダ６のキー溝6d，6eにそれぞれ嵌合保持できるようにしたので、常に両ローラー４，５の表面を清浄に保つことができる。
【００３１】
なお、本発明ローラーマッサージ器において、基軸１に支持軸３を介して設けられた回転打撃ローラー５は、一例として120度間隔で３つの回転打撃面51を有するローラーを用いているが（図１，図２参照）、回転打撃ローラー５の形態は、この実施例以外の形態のものであってもよい。図３において、Ｈは使用者の手、MFはその指である。
【産業上の利用可能性】
【００３２】
本発明は以上のとおりであって、膚面に当接させて皮膚面上を回転移動させるマッサージローラーを棒状基軸の一端に回転自在に装着した美容ローラーマッサージ器において、前記ローラーの外表面に微細ダイヤモンド粉を被覆したクーラントローラーを具備してローラーマッサージ器に形成したので、皮膚面に対しダイヤモンドの特性である熱伝導性と撥水性の作用により効果的な熱の拡散を図ることができる。また、ダイヤモンドの特性である親油性の作用により、肌や毛穴で酸化して黒ずんだ皮脂を吸着除去することができるので、美白効果も得られる。この結果、本発明ローラーマッサージ器によれば肌の余分な皮脂を吸着除去すると共に肌に必要な適度な水分をその肌に与えることができる。
従って、本発明のクーラントローラーを備えたマッサージ器は、手動ローラー式のマッサージ器として極めて有用である。
【符号の説明】
【００３３】
１        基軸
２，３    支持軸
４        クーラントローラー
５        回転打撃ローラー
６        キャップホルダ
７，８    キャップ
【図１】
2010162324.tif 000003
【図２】
2010162324.tif 000004
【図３】
2010162324.tif 000005